(57)【要約】【課題】被引掛物を容易に利用できる開閉装置を提供する。【解決手段】開閉装置１は、開口部３を開閉する開閉体５と、この開閉体５を収容する収容ケース体７とを備える。収容ケース体７は、ケース本体部１３と、このケース本体部１３に対して着脱可能な化粧板部１４とを有する。被引掛物である物干竿１０を引掛可能な引掛体１１を収容ケース体７の化粧板部１４に一体に設ける。【選択図】　　　　図１
2004100180.tif 000002
【特許請求の範囲】
【請求項１】
開口部を開閉する開閉体と、
前記開口部の開口時に前記開閉体が内部に収容される収容ケース体と、
この収容ケース体に一体に設けられ、被引掛物を引掛可能な引掛体と
を備えていることを特徴とする開閉装置。
【請求項２】
収容ケース体は、ケース本体部と、このケース本体部に取り付けられた着脱可能な化粧板部とを有し、
引掛体は、前記化粧板部に一体に設けられている
ことを特徴とする請求項１記載の開閉装置。
【請求項３】
収容ケース体は、ケース本体部と、このケース本体部の両側にこのケース本体部の両側面を覆うように取り付けられた対をなす着脱可能な化粧板部とを有し、
引掛体は、前記各化粧板部に一体に設けられている
ことを特徴とする請求項１記載の開閉装置。
【発明の詳細な説明】
【０００１】
【発明の属する技術分野】
本発明は、引掛体の取付作業を必ずしも必要とせず、被引掛物を容易に利用できる開閉装置に関する。
【０００２】
【従来の技術】
従来の窓シャッタ等の開閉装置は、例えば開口部を開閉する昇降可能なシャッタカーテン等の開閉体と、開口部の閉鎖時に開閉体が巻き取られて内部に収容されるシャッタボックス等の収容ケース体とを備えている（例えば、特許文献１参照。）。
【０００３】
【特許文献１】
特開２００２−８９１５２号公報（第３頁、図１）
【０００４】
【発明が解決しようとする課題】
しかしながら、上記従来の開閉装置では、例えば物干竿等の被引掛物を利用しようとした場合、その被引掛物を引掛けるためのフック等の引掛体をねじ等を用いて建物の外壁等の所望高さ位置に取り付けなければならず、このため、被引掛物の利用が容易でないおそれがある。
【０００５】
本発明は、このような点に鑑みなされたもので、引掛体の取付作業を必ずしも必要とせず、被引掛物を容易に利用できる開閉装置を提供することを目的とする。
【０００６】
【課題を解決するための手段】
請求項１記載の開閉装置は、開口部を開閉する開閉体と、前記開口部の開口時に前記開閉体が内部に収容される収容ケース体と、この収容ケース体に一体に設けられ、被引掛物を引掛可能な引掛体とを備えているものである。
【０００７】
そして、被引掛物を引掛可能な引掛体が収容ケース体に一体に設けられているため、引掛体の取付作業を必ずしも必要とせず、被引掛物の利用が容易になる。
【０００８】
請求項２記載の開閉装置は、請求項１記載の開閉装置において、収容ケース体は、ケース本体部と、このケース本体部に取り付けられた着脱可能な化粧板部とを有し、引掛体は、前記化粧板部に一体に設けられているものである。
【０００９】
そして、例えば引掛体が損傷等した場合、化粧板部を交換すればよく、交換作業が容易になる。
【００１０】
請求項３記載の開閉装置は、請求項１記載の開閉装置において、収容ケース体は、ケース本体部と、このケース本体部の両側にこのケース本体部の両側面を覆うように取り付けられた対をなす着脱可能な化粧板部とを有し、引掛体は、前記各化粧板部に一体に設けられているものである。
【００１１】
そして、例えば引掛体が損傷等した場合、化粧板部を交換すればよく、交換作業が容易になり、また、例えば引掛体を収容ケース体の中央部に下方に向けて一体に突設した構成等に比べて、引掛体が邪魔になるようなことがない。
【００１２】
【発明の実施の形態】
以下、本発明の開閉装置の一実施の形態の構成を図面を参照して説明する。
【００１３】
図１および図２において、１は開閉装置で、この開閉装置１は、例えば住宅等の建物２に取り付けられた窓シャッタ等である。
【００１４】
この開閉装置１は、例えば建物の窓開口等の開口部３を開閉する移動可能、すなわち例えば昇降可能なシャッタカーテン等の開閉体５と、開閉体５の昇降時にこの開閉体５を案内する上下方向に細長い左右一対のガイドレール体６とを備えている。
【００１５】
また、この開閉装置１は、両ガイドレール体６の上端部間にわたって配置された１つの略箱形状の収容ケース体７と、両ガイドレール体６の下端部間にわたって配置された下枠体８とを備えている。
【００１６】
ここで、収容ケース体７は、開口部３の開口時に開閉体５の略全体がその収容ケース体７の内部に巻取りにより収容されるシャッタボックス等で、この収容ケース体７の左右両側には、略細長棒状で断面略円形の被引掛物である物干竿１０を引掛可能なフック状の物干竿用フック等の引掛体１１が一体に設けられている。
【００１７】
そして、この収容ケース体７は、左右方向に細長い略箱形状のケース本体部１３と、ケース本体部１３の左右両側にこのケース本体部１３の両側面全体を覆うように取り付けられた左右一対をなす着脱可能な化粧キャップ等の化粧板部１４とを有している。
【００１８】
このケース本体部１３は、例えば互いに離間対向した左右一対の側板１６を有し、これら両側板１６の周縁部相互が左右方向に長手状の複数の連結板１７にて連結されている。そして、側板１６と連結板１７とにて、ケース本体部１３の本体骨組み１８が構成されている。
【００１９】
また、このケース本体部１３は、本体骨組み１８の前面（建物２とは反対側の面つまり室外側の面）、上面および下面前側とを覆うカバー板１９を有し、このカバー板１９は、例えば矩形板部材２０がその長手方向に沿って複数個所で折り曲げられて形成されたものである。
【００２０】
また一方、各化粧板部１４は、それぞれ、対応するケース本体部１３の側板１６に対して嵌脱により着脱可能な略板状に形成されている。
【００２１】
そして、この各化粧板部１４の前下端部には、上方に向って開口状の側面視略Ｃ字状をなす引掛体１１が一体に設けられている。すなわち、収容ケース体７のケース本体部１３の端部を覆う化粧板部１４の前下端部からは、物干竿１０の端部を引掛可能な引掛体１１が前方および下方に向って一体に突出している。
【００２２】
例えば、この引掛体１１は、収容ケース体７の製作時に収容ケース体７の化粧板部１４の突出部分の折り曲げにより形成されたものである。なお、引掛体１１の上方に向って開口した開口部分１１ａの寸法は、物干竿１０の外径よりやや小さくなっている。
【００２３】
なお、図２に示されるように、建物２の外壁に例えばねじ２１にて固定された収容ケース体７内には、開閉体５を巻戻し可能に巻取る巻軸等の巻体２３が回転可能に配置されている。この巻体２３は、収容ケース体７のケース本体部１３の左右一対の側板１６にて回転可能に支持されている。
【００２４】
また、開閉体５は、例えば複数のスラット２４および幅木２５等にて構成されている。さらに、両ガイドレール体６は、左右対称のもので、開閉体５の昇降時に開閉体５の左右方向端部が挿入された状態でこの開閉体５を案内する横断面略コ字状で上下方向のガイド溝部２６が形成されている。
【００２５】
次に、上記一実施の形態の作用等を説明する。
【００２６】
例えば開閉装置１の開口部３の室外側を物干場とする場合、１本の被引掛物である物干竿１０の両端部を収容ケース体７に予め一体に突設された左右両側の引掛体１１に引掛ける。
【００２７】
すると、物干竿１０は、左右両側の引掛体１１によって水平状に支持され、この支持された物干竿１０に洗濯物等を干すことができる。
【００２８】
このように開閉装置１によれば、物干竿１０を引掛可能な引掛体１１が収容ケース体７に一体に設けられているため、従来とは異なり物干竿用フック等の引掛体１１について煩雑な取付作業を必ずしも必要とせず、物干竿１０を容易に利用できる。
【００２９】
すなわち、開閉装置１とは別体である複数の引掛体をねじ等を用いて建物２の外壁の所望高さ位置に取り付けるといった煩雑な取付作業をする必要がなく、取り合いの検討も要せず、物干竿１０を容易に使用することができる。
【００３０】
また、例えば引掛体１１が損傷等した場合、収容ケース体７の化粧板部１４をケース本体部１３から取り外して交換すればよいため、収容ケース体７全体を交換する必要がなく、引掛体１１の交換作業を容易にすることができる。
【００３１】
また、既に設置された従来の開閉装置の化粧板部（引掛体１１無し）を引掛体１１付きの化粧板部１４に換えることによっても、物干竿１０の利用が容易となる。
【００３２】
さらには、例えば引掛体１１を収容ケース体７の左右方向中央部に下方に向けて一体に突設した構成等に比べて、開口部３を通過する際等に引掛体１１自体が邪魔になるようなことがない。
【００３３】
なお、上記実施の形態では、被引掛物が物干竿１０である場合について説明したが、例えば、図３に示すように、被引掛物である日除け（例えばすだれ、スクリーン、ブラインド等）３０を収容ケース体７に一体に設けられた引掛体１１に引掛けることもできる。
【００３４】
この日除け３０は、略細長棒状で断面略円形の支持棒部３１を有し、この支持棒部３１の両端部が引掛体１１に引掛けられている。この支持棒部３１の両端部を除く部分には、開口部３の室外側を開閉する略面状の日除け本体部３２が設けられている。なお、被引掛物は、物干竿１０や日除け３０以外に、例えばフラワーボックス等でもよい。
【００３５】
また、開閉装置１は、収容ケース体７のケース本体部１３に対して着脱可能な化粧板部１４に引掛体１１を一体に設けたものには限定されず、例えば、引掛体１１をケース本体部１３のカバー板１９に一体に設けたもの等でもよい。
【００３６】
さらに、収容ケース体７の両側に一対の引掛体１１を一体に設けたものには限定されず、例えば、複数本の物干竿１０を前後にずらした状態で支持できるように複数対（例えば２対、３対等）をなす引掛体１１を突出量を異ならせて設けたものでもよい。また、化粧板部１４およびケース本体部１３の両方に引掛体１１を例えば２つ或いは３つ以上一体に設けてもよい。
【００３７】
また、収容ケース体７の両側のいずれか一方のみに１つの引掛体１１を一体に設けたものでもよく、また、収容ケース体７の長手方向中央側に引掛体１１を一体に設けたもの等でもよい。
【００３８】
さらに、開閉装置１は、シャッタボックス等の収容ケース体７を１つだけ備えたものには限定されず、例えば、互いに連結されて横方向に並んだ複数の収容ケース体７を備え、その収容ケース体７の連結部分に引掛体１１を一体に設けたものでもよい。
【００３９】
また、開閉装置１は、窓シャッタ等のシャッタ装置には限定されず、例えば図示しないが、その他のシャッタ装置、ブラインド装置、スクリーン装置等、或いは、これら装置のうちの同種または異種を複数並設したものでもよい。
【００４０】
【発明の効果】
請求項１の発明によれば、被引掛物を引掛可能な引掛体が収容ケース体に一体に設けられているため、引掛体の取付作業を必ずしも必要とせず、被引掛物を容易に利用できる。
【００４１】
請求項２の発明によれば、例えば引掛体が損傷等した場合、化粧板部を交換すればよく、交換作業を容易にできる。
【００４２】
請求項３の発明によれば、例えば引掛体が損傷等した場合、化粧板部を交換すればよく、交換作業を容易にでき、また、例えば引掛体を収容ケース体の中央部に下方に向けて一体に突設した構成等に比べて、引掛体が邪魔になるようなことがない。
【図面の簡単な説明】
【図１】本発明の開閉装置の一実施の形態を示す斜視図である。
【図２】同上開閉装置の縦断面図である。
【図３】同上開閉装置の引掛体に日除けを引掛けた場合の斜視図である。
【符号の説明】
１　　開閉装置
３　　開口部
５　　開閉体
７　　収容ケース体
１０　　被引掛物である物干竿
１１　　引掛体
１３　　ケース本体部
１４　　化粧板部
３０　　被引掛物である日除け
【図１】
2004100180.tif 000003
【図２】
2004100180.tif 000004
【図３】
2004100180.tif 000005